(57)【要約】【課題】安価でかつ作業者が運びやすい形態で、被梱包物である鉛蓄電池を梱包する。【解決手段】底面と、天面と、天面に連接した第１の長側面と、天面の下側に配置される第１の折り曲げ部を備えた第２の長側面と、天面の下側に配置される第２の折り曲げ部を備えた２つの短側面と、からなり、天面は開口部を有しており、第１の折り曲げ部は、底面と対峙する第１の折り曲げ面が形成できるように複数回折り曲げられており、第２の折り曲げ部は、それぞれ先端の切り欠き距離が最も小さい切り欠き部を有している鉛蓄電池用梱包箱。【選択図】図１
2015196524.tif 000002
【特許請求の範囲】
【請求項１】
底面と、天面と、天面に連接した第１の長側面と、天面の下側に配置される第１の折り曲げ部を備えた第２の長側面と、天面の下側に配置される第２の折り曲げ部を備えた２つの短側面と、からなり、
前記天面は開口部を有しており、
前記第１の折り曲げ部は、前記底面と対峙する第１の折り曲げ面が形成できるように複数回折り曲げられており、
前記第２の折り曲げ部は、それぞれ先端の切り欠き距離が最も小さい切り欠き部を有していることを特徴とする、鉛蓄電池用梱包箱。
【請求項２】
前記第１の折り曲げ部は、前記第１の折り曲げ面と、前記第１の長側面と対峙する第２の折り曲げ面と、前記天面の下側に配置される第３の折り曲げ面とからなり、前記第３の折り曲げ面は、前記第２の長側面における幅方向の中央部分において、前記短側面の幅方向と平行した長さが他の部位よりも小さいことを特徴とする、請求項１に記載の鉛蓄電池用梱包箱。
【請求項３】
前記天面は、下部に向かって前記第１の長側面の幅方向と略平行に陥没する互いに対峙した一対の陥没面を有しており、
前記第２の折り曲げ部における前記切り欠き部の両側の少なくとも一方には、それぞれ前記第１の長側面の幅方向に向かって突出した第１の舌部があり、
前記陥没面の一隅が前記第１の舌部と当接していることを特徴とする、請求項１に記載の鉛蓄電池用梱包箱。
【請求項４】
前記第２の折り曲げ部における前記第１の折り曲げ部から最も離間した部位には、それぞれ互いに重なり合って前記天面の下側に配置される第２の舌部があることを特徴とする、請求項１に記載の鉛蓄電池用梱包箱。
【請求項５】
請求項１から４のいずれか１項に記載した鉛蓄電池用梱包箱に、
発電要素を収納する電槽と、電槽の開口部を封口する蓋と、蓋から突出した一対の端子と、電槽あるいは蓋に取り付けられた耐酸性樹脂繊維製の編みバンドからなる取手とを有する鉛蓄電池を、
前記第１の折り曲げ部と前記端子とが離間するようにしつつ、前記切り欠き部の少なくとも一方に前記取手を貫通させるようにして収納し、前記取手を前記開口部から上方に取り出した、鉛蓄電池の梱包形態。
【発明の詳細な説明】
【技術分野】
【０００１】
本発明は、鉛蓄電池を収納する鉛蓄電池用梱包箱、ならびに鉛蓄電池を収納した状態である鉛蓄電池の梱包形態に関する。
【背景技術】
【０００２】
上部に突起物を有する被梱包物の梱包形態として、梱包箱に被梱包物を収納する際に、特許文献１や２に示すような緩衝体も同時に収納することで、被梱包物を衝撃から守ることが知られている。
【先行技術文献】
【特許文献】
【０００３】
【特許文献１】特開２０００−２０３６４３号公報
【特許文献２】特開２００１−１３９０６６号公報
【発明の概要】
【発明が解決しようとする課題】
【０００４】
特許文献１および２に示す緩衝体は、梱包箱とは異なる別部材であるため、単価が高い被梱包物を梱包する際の手段としては優れている。しかし被梱包物が鉛蓄電池のように単価がそれほど高くない場合、特許文献１および２の手段を用いないことが多い。加えて鉛蓄電池は比重が高いので、作業者が運ぶ際の便宜を考えると、鉛蓄電池に付けた取手を梱包箱の外に取り出すようにするのが望ましい。本発明はかかる課題に鑑みなされたもので、安価でかつ作業者が運びやすい形態で、被梱包物である鉛蓄電池を梱包することを目的とする。
【課題を解決するための手段】
【０００５】
本発明に係る鉛蓄電池用梱包箱は、底面と、天面と、天面に連接した第１の長側面と、天面の下側に配置される第１の折り曲げ部を備えた第２の長側面と、天面の下側に配置される第２の折り曲げ部を備えた２つの短側面と、からなり、天面は開口部を有しており、第１の折り曲げ部は、底面と対峙する第１の折り曲げ面が形成できるように複数回折り曲げられており、第２の折り曲げ部は、それぞれ先端の切り欠き距離が最も小さい切り欠き部を有している。
【０００６】
ある好適な実施形態において、第１の折り曲げ部は、第１の折り曲げ面と、第１の長側面と対峙する第２の折り曲げ面と、天面の下側に配置される第３の折り曲げ面とからなり、第３の折り曲げ面は、第２の長側面における幅方向の中央部分において、短側面の幅方向と平行した長さが他の部位よりも小さい。
【０００７】
ある好適な実施形態において、天面は下部に向かって第１の長側面の幅方向と略平行に陥没する互いに対峙した一対の陥没面を有しており、第２の折り曲げ部における切り欠き部の両側の少なくとも一方にはそれぞれ第１の長側面の幅方向に向かって突出した第１の舌部があり、陥没面の一隅が第１の舌部と当接している。
【０００８】
ある好適な実施形態において、第２の折り曲げ部における第１の折り曲げ部から最も離間した部位には、それぞれ互いに重なり合って天面の下側に配置される第２の舌部がある。
【０００９】
本発明に係る鉛蓄電池用梱包箱は、上述したいずれかの鉛蓄電池用梱包箱に、発電要素を収納する電槽と、電槽の開口部を封口する蓋と、蓋から突出した一対の端子と、電槽あるいは蓋に取り付けられた耐酸性樹脂繊維製の編みバンドからなる取手とを有する鉛蓄電池を、第１の折り曲げ部と端子とが離間するようにしつつ切り欠き部の少なくとも一方に取手を貫通させるようにして収納し、取手を開口部から上方に取り出している。
【発明の効果】
【００１０】
本発明によれば、安価でかつ作業者が運びやすい形態で、被梱包物である鉛蓄電池を梱包することができるようになる。
【図面の簡単な説明】
【００１１】
【図１】本発明の鉛蓄電池用梱包箱の一実施形態を示した展開図
【図２】本発明の鉛蓄電池の梱包形態の仕掛状態を示した概観図
【図３】本発明の鉛蓄電池の梱包形態の一実施形態を示した概観図
【発明を実施するための形態】
【００１２】
以下、本発明の実施形態を図面に基づいて詳細に説明する。
【００１３】
図１は本発明の鉛蓄電池用梱包箱の一実施形態を示した展開図である。鉛蓄電池用梱包箱１は、底面２と、天面３と、天面３に連接した第１の長側面４と、天面３の下側に配置される第１の折り曲げ部５ａを備えた第２の長側面５と、天面３の下側に配置される第２の折り曲げ部６ａを備えた２つの短側面６とからなり、天面３は開口部３ａを有しており、第１の折り曲げ部５ａは、底面２と対峙する第１の折り曲げ面５ｂが形成できるように複数回折り曲げられており、第２の折り曲げ部６ａは、それぞれ先端の切り欠き距離ｔ１が最も小さい（奥部の切り欠き距離ｔ２よりも小さい）切り欠き部６ｂを有している。
【００１４】
図２は本発明の鉛蓄電池の梱包形態の仕掛状態を示した概観図であり、図３は本発明の鉛蓄電池の梱包形態の一実施形態を示した概観図である。鉛蓄電池７は、発電要素（図示せず）を収納する電槽８と、電槽８の開口部を封口する蓋９と、蓋９から突出した一対の端子１０と、蓋９に取り付けられた耐酸性樹脂繊維製の編みバンドからなる取手１１とからなる。鉛蓄電池用梱包箱１の第１の折り曲げ部５ａと端子１０とが離間するようにしつつ切り欠き部６ｂの少なくとも一方に取手１１を貫通させるようにして鉛蓄電池７を収納し、取手１１を開口部３ａから上方に取り出すことで、本発明における梱包形態となる。
【００１５】
比重が大きい鉛蓄電池７は、鉛蓄電池用梱包箱１に収納された後、流通や店頭販売の過程で積み重ねられる。しかし梱包された鉛蓄電池７の破損を防ぐために特許文献１や２のような緩衝体を同梱すると、購入者にとっては理解不能な理由で、比較的廉価な鉛蓄電池７の販売価格を上昇させることになる。
【００１６】
そこで発明者らは、特許文献１や２と同様の機能を有する部位を、鉛蓄電池用梱包箱１の一部として設けた。具体的には、第１の折り曲げ部５ａを複数回折り曲げて底面２と対峙する第１の折り曲げ面５ｂを形成し、この第１の折り曲げ面５ｂを、鉛蓄電池７の蓋９の長辺のうち一対の端子１０と離間した側に配置する梱包形態が採れるようにした。この形態を採ることで、この鉛蓄電池７が入った鉛蓄電池用梱包箱１の上に別の鉛蓄電池７が入った鉛蓄電池用梱包箱１が積まれた場合でも、その荷重は第１の折り曲げ部５ａと一対の端子１０とでバランスよく受けることができるようになり、鉛蓄電池７の破損が免れるようになる。
【００１７】
一方で積み替えや購入者の販売（レジへの持ち運び）などにおいて、鉛蓄電池７が入った鉛蓄電池用梱包箱１を無理なく運べるようにしたい。そこで発明者らは、電槽８（あるいは蓋９）に耐酸性樹脂繊維製の編みバンドからなる取手１１を取り付け、第２の折り曲げ部６ａに設けた、それぞれ先端の切り欠き距離が最も小さい（奥部の切り欠き距離よりも小さい）切り欠き部６ｂの少なくとも一方に取手１１を貫通させるようにして鉛蓄電池７を収納し、取手１１を開口部３ａから上方に取り出すようにした。
【００１８】
取手１１の材質としては樹脂成型品が一般的だが、剛性が高い樹脂成型品で取手１１を構成すると、車載後にボンネットの下で取手１１が突出してしまうため、隣接する他の車載品と干渉し合うことになる上に、ボンネットの下という限られた空間で取手１１を取り外すことも困難であり、使用に際しては大きな課題があった。一方で耐酸性樹脂繊維製の編みバンドで取手１１を構成すれば、剛性が低いために突出しなくなり上述した課題は起こらないものの、剛性の低さが災いして鉛蓄電池用梱包箱１から取手１１を取り出しにくくなるという別の大きな課題があった。本発明はこの双方の課題を解決するものである。
【００１９】
鉛蓄電池７のサイズが小さい（天面３が狭い）場合、第１の折り曲げ部５ａを、第１の折り曲げ面５ｂと、第１の長側面４と対峙する第２の折り曲げ面５ｃと、天面３の下側に配置される第３の折り曲げ面５ｄとで構成し、第３の折り曲げ面５ｄについて、第２の長側面５における幅方向の中央部分において、短側面の幅方向と平行した長さを他の部位よりも小さくすれば、第１の折り曲げ部５ａの構造的な強度を保ちつつ、開口部３ａを拡げて作業者（購入者）の掌を入りやすくできるので、運搬性を維持する面から好ましい。
【００２０】
また、天面３に、下部に向かって第１の長側面４の幅方向と略平行に陥没する互いに対峙した一対の陥没面３ｂを設け、第２の折り曲げ部６ａにおける切り欠き部６ｂの両側の少なくとも一方に、それぞれ第１の長側面４の幅方向に向かって突出した第１の舌部６ｃを設け、陥没面３ｂの一隅を第１の舌部６ｃと当接するようにすれば、陥没面３ｂが上方に浮き上がって開口部が狭くなることを回避できる。
【００２１】
一方、第２の折り曲げ部６ａの上面に荷重を掛けて切り欠き部６ｂのうち切り欠き距離が最も小さく取手１１の幅よりも狭い先端に取手１１を通して貫通させる作業において、最初の片方の切り欠き部６ｂは無理なく貫通させられるものの、もう片方の切り欠き部６ｂを貫通させようと取手１１を引っ張った際に、最初の片方の切り欠き部６ｂがある方の第２の折り曲げ部６ａの反発力によって、一旦貫通した最初の片方の切り欠き部６ｂから取手１１が外れることがある。そこで第２の折り曲げ部６ａにおける第１の折り曲げ部５ａから最も離間した部位に、それぞれ互いに重なり合って天面３の下側に配置される第２の舌部６ｄを設ければ、第２の舌部６ｄどうしが重なり合うことで、最初の片方の切り欠き部６ｂがある方の第２の折り曲げ部６ａの反発を妨げるので、上述した課題が発生しないようになる。
【００２２】
以上、本発明を好適な実施形態により説明してきたが、こうした記述は限定事項ではなく、もちろん、種々の改変が可能である。
【産業上の利用可能性】
【００２３】
本発明は、特にエンジン始動用の鉛蓄電池など、取手を有しかつ鉛蓄電池用梱包箱に収納した形態で販売される鉛蓄電池に有用である。
【符号の説明】
【００２４】
１      鉛蓄電池用梱包箱
２      底面
３      天面
３ａ    開口部
３ｂ    陥没面
４      第１の長側面
５      第２の長側面
５ａ    第１の折り曲げ部
５ｂ    第１の折り曲げ面
５ｃ    第２の折り曲げ面
５ｄ    第３の折り曲げ面
６      短側面
６ａ    第２の折り曲げ部
６ｂ    切り欠き部
６ｃ    第１の舌部
６ｄ    第２の舌部
７      鉛蓄電池
８      電槽
９      蓋
１０    端子
１１    取手
【図１】
2015196524.tif 000003
【図２】
2015196524.tif 000004
【図３】
2015196524.tif 000005